(57)【要約】      （修正有）【課題】架台の構築作業を簡略化し、架台を設置したスペースを有効利用することが可能な太陽電池モジュール用架台を提供する。【解決手段】太陽電池モジュールの側縁部を両側で支持するスライド杆体１０を設ける。スライド杆体１０に、太陽電池モジュールが傾斜する方向に沿って配置される帯板状の中央杆材１１を設ける。該中央杆材１１の左右側面に沿って、太陽電池モジュールの側縁部の上下面を支持せしめる上下一対の支持片１２を設ける。該支持片１２の下方に延長され断面樋状を成した樋部１３を設ける。該スライド杆体１０の間に各太陽電池モジュールの側縁部を両側でスライド自在に支持する。【選択図】図３
0003175075.tif 000002
【実用新案登録請求の範囲】
【請求項１】
隣接する太陽電池モジュールの側縁相互の間に介され、各太陽電池モジュールの側縁部を両側で支持すると共に、支持した各太陽電池モジュールを側縁部の長手方向に沿ってスライド移動せしめるように構成されたスライド杆体と、スライド杆体の支持角度を設定する角度調整板を介してスライド杆体を支持するように構成された支持枠と、該支持枠の角パイプ材にて構成される支柱及び横材を直交状態で連結するジョイント金具と、を備え、スライド杆体は、太陽電池モジュールが傾斜する上下方向に沿って配置される帯板状の中央杆材と、該中央杆材の左右側面に沿って設けられ、太陽電池モジュールの側縁部の上下面を支持せしめる上下一対の支持片と、該支持片の下方に延長され、前記角度調整板に固定せしめる断面樋状を成した樋部とで構成され、傾斜する上下方向に沿って配したスライド杆体の間に、各太陽電池モジュールの左右側縁部をスライド自在に支持するように構成したことを特徴とする太陽電池モジュール用架台。
【請求項２】
前記スライド杆体は、アルミニウム、ステンレス、鉄に属する金属材にて形成され、前記一方の支持片を中央杆材の上端から延長し、前記他方の支持片を前記樋部の上端から延長した請求項１記載の太陽電池モジュール用架台。
【請求項３】
前記樋部は、前記支持片の下方に延長された断面樋状を成し、この樋部を挿通した固定ネジにて前記スライド杆体を前記角度調整板及び前記支持枠に固定するように構成した請求項２記載の太陽電池モジュール用架台。
【請求項４】
前記スライド杆体の下端部に前記太陽電池モジュールの下端部を係止せしめる係止片を装着した請求項１又は２記載の太陽電池モジュール用架台。
【考案の詳細な説明】
【技術分野】
【０００１】
本考案は、太陽電池モジュールを設置するために使用する太陽電池モジュール用架台に関するものである。
【背景技術】
【０００２】
太陽電池モジュールを鉄骨フレーム等の架台に設置する場合、太陽電池モジュールの側縁部をスライド支持する構成の架台が提案されている。特許文献１に記載の架台には、屋根上に、この屋根の傾斜方向と交差する方向に延びて固定され、斜め下向き溝を有した上側横架台と、この上側横架台の下側に平行に配置され、斜め上向きに開放する上向き溝を有した下側横架台とを装着し、これら上側横架台と下側横架台との間に太陽電池モジュールの側縁部をスライド支持する構成が示されている。
【０００３】
また、特許文献２に記載の架台には、比較的脚の短い短脚部材と比較的脚の長い長脚部材との間に太陽電池モジュールを装着する構成が記載されている。この架台の短脚部材と長脚部材とには、それぞれ溝が形成され、この溝に太陽電池モジュールの側縁部を嵌合するものである。
【先行技術文献】
【特許文献】
【０００４】
【特許文献１】特許第４３６４３８９号
【特許文献２】特許第３２９７２７７号
【考案の概要】
【考案が解決しようとする課題】
【０００５】
従来の架台を平坦な場所に固定する場合、基礎や土台が必要になり、これら基礎や土台の上に架台を設置するものであった。これら基礎や土台は、架台の安定性を高めるために、コンクリートブロック等の重量物で形成されており、架台を設置する場合に、これらの基礎や土台の運搬に多くの手間が必要になっていた。特に、屋上などに架台を設置する場合には、屋上への基礎や土台の搬入作業が殊更困難な作業になっている。
【０００６】
また、特許文献１及び２に記載の架台によると、いずれも太陽電池モジュールの側縁部をスライド支持する構成であるが、太陽電池モジュールのスライド方向は、傾斜方向と交差する方向に延びて固定される構成になっていた。そのため、太陽電池モジュールの支持部材は、傾斜面に対して直交する位置に設置されているので、太陽電池モジュール上に雨水や雪等が降ると、これらの雨水や雪を排除する際に、この支持部材が妨げになる不都合があった。
【０００７】
しかも、支持部材の溝部内部にも雨水が溜まりやすい構造になるので、支持部材が支持している太陽電池モジュールに雨水等が伝わり易く、配線部などに悪影響を与えるおそれもある。
【０００８】
そこで、本考案は上述の課題を解消すべく創出されたもので、架台の構築作業を簡略化すると共に、太陽電池モジュールの装着が容易になり、しかも、設置後のメンテナンスが容易な太陽電池モジュール用架台の提供を目的とするものである。
【課題を解決するための手段】
【０００９】
上述の目的を達成すべく本考案の第１の手段は、隣接する太陽電池モジュールＰの側縁相互の間に介され、各太陽電池モジュールＰの側縁部を両側で支持すると共に、支持した各太陽電池モジュールＰを側縁部の長手方向に沿ってスライド移動せしめるように構成されたスライド杆体１０と、スライド杆体１０の支持角度を設定する角度調整板４０を介してスライド杆体１０を支持するように構成された支持枠２０と、該支持枠２０の角パイプ材にて構成される支柱２１及び横材２２を直交状態で連結するジョイント金具３０と、を備え、スライド杆体１０は、太陽電池モジュールＰが傾斜する上下方向に沿って配置される帯板状の中央杆材１１と、該中央杆材１１の左右側面に沿って設けられ、太陽電池モジュールＰの側縁部の上下面を支持せしめる上下一対の支持片１２と、該支持片１２の下方に延長され、前記角度調整板４０に固定せしめる断面樋状を成した樋部１３とで構成され、傾斜する上下方向に沿って配したスライド杆体１０の間に、各太陽電池モジュールＰの左右側縁部をスライド自在に支持するように構成したことにある。
【００１０】
第２の手段において、前記スライド杆体１０は、アルミニウム、ステンレス、鉄に属する金属材にて形成され、前記一方の支持片１２を中央杆材１１の上端から延長し、前記他方の支持片１２を前記樋部１３の上端から延長したものである。
【００１１】
第３の手段において、前記樋部１３は、支持片１２の下方に延長された断面樋状を成し、この樋部１３を挿通した固定ネジ１４にて前記スライド杆体１０を前記角度調整板４０及び前記支持枠２０に固定するように構成されている。
【００１２】
第４の手段は、スライド杆体１０の下端部に前記太陽電池モジュールＰの下端部を係止せしめる係止片１５を装着したものである。
【考案の効果】
【００１３】
本考案の請求項１のごとく、支持枠２０は、ジョイント金具３０で連結するだけで構築されるので、多数の筋交い等を用いなくとも支持強度に優れた支持枠２０を設置することができる。したがって、架台の構築作業を極めて簡略化することに成功した。
【００１４】
しかも、傾斜する上下方向に沿って配したスライド杆体１０の間に、各太陽電池モジュールＰの左右両側縁部をスライド自在に支持するように構成したことにより、太陽電池モジュールＰの上面に雨や雪が降り積もっても、スライド杆体１０に沿って自然に流れ落ちる構造になっている。この結果、従来の支持部材のように、太陽電池モジュール上の雨水や雪の面倒な排除作業や、支持部材の溝部内部に溜まる雨水の悪影響などを受けるおそれも解消し、設置後のメンテナンスが容易になるものである。
【００１５】
請求項２のように、スライド杆体１０は、アルミニウム、ステンレス、鉄に属する金属材にて形成され、一方の支持片１２を中央杆材１１の上端から延長し、他方の支持片１２を樋部１３の上端から延長した構成により、耐候性及び耐久性に富んだスライド杆体１０を提供することができる。
【００１６】
請求項３のごとく、樋部１３は、支持片１２の下方に延長された断面樋状を成し、この樋部１３を挿通した固定ネジ１４にてスライド杆体１０を角度調整板４０及び前記支持枠２０に固定するように構成したことにより、雨水等は、支持片１２から離れた樋部１３に沿って排出されるので、支持片１２にて支持している太陽電池モジュールＰに悪影響を与えるおそれはない。
【００１７】
請求項４のように、スライド杆体１０の下端部に太陽電池モジュールＰの下端部を係止せしめる係止片１５を装着したことで、傾斜する方向に沿って配したスライド杆体１０の間に、スライド自在に支持した各太陽電池モジュールＰを、この係止片１５が確実に係止することができる。しかも、この係止片１５に至るまでスライド杆体１０に沿って太陽電池モジュールＰをスライド移動できるので、太陽電池モジュールＰの装着作業が極めて用意、且つ簡略化することができる。
【図面の簡単な説明】
【００１８】
【図１】本考案の使用状態を示す概略斜視図である。
【図２】本考案の使用状態を示す側面図である。
【図３】本考案の設置状態を示す要部斜視図である。
【図４】図２に示す矢視IV‐IV線断面図である。
【図５】本考案のジョイント金具の一実施例を示す斜視図である。
【図６】本考案の角度調整板の一実施例を示す斜視図である。
【図７】本考案の使用状態を示す平面図である。
【考案を実施するための形態】
【００１９】
このように本考案によると、架台の構築作業を簡略化すると共に、太陽電池モジュールの装着が容易になり、しかも、設置後のメンテナンスが容易になるなどといった当初の目的を達成した。
【実施例】
【００２０】
以下、本考案架台の一実施例を説明する。本考案架台は、屋上や空き地等の平坦な設置面に、一定の角度で太陽電池モジュールＰを設置する架台である（図２参照）。本考案架台を構成する主な部材は、スライド杆体１０、支持枠２０、ジョイント金具３０、角度調整板４０にて構成される（図１参照）。
【００２１】
スライド杆体１０は、アルミニウム、ステンレス、鉄等の金属材にて形成されるもので、太陽電池モジュールＰの端部をスライド自在に支持するものである（図１参照）。このスライド杆体１０は、隣接する太陽電池モジュールＰ相互の間に介され、各太陽電池モジュールＰの側縁部を両側で支持するように構成している。
【００２２】
図示のスライド杆体１０は、中央杆材１１、支持片１２、樋部１３にて構成されている（図３参照）。中央杆材１１は、太陽電池モジュールＰの傾斜面に沿って上から下に向けて配置される帯板状の部材である。また、支持片１２は、この中央杆材１１の左右側面に沿って設けられた部材で、太陽電池モジュールＰの側縁部の上下面を支持するように上下一対の支持片１２が平行に設けられている（図４参照）。図示例では、一方の支持片１２を中央杆材１１の上端から延長し、他方の支持片１２を樋部１３の上端から延長したものである。
【００２３】
複数の太陽電池モジュールＰをスライド杆体１０に装着するには、この支持片１２の間に太陽電池モジュールＰの左右両端部を挿入して、スライド杆体１０の傾斜上部から下部に向けてスライド移動させるものである（図１参照）。スライド杆体１０の下端部まで移動した太陽電池モジュールＰは、この下端部に装着された係止片１５によって固定される。
【００２４】
さらに、樋部１３は、支持片１２の下方に延長された断面略Ｕ字形状を成す部位である（図４参照）。スライド杆体１０を角度調整板４０及び支持枠２０に固定するには、この樋部１３の底を挿通した固定ネジ１４にて固定するものである。
【００２５】
支持枠２０は、スライド杆体１０を支持するように構成されたもので、スライド杆体１０の支持角度を設定するように構成された後述する角度調整板４０を介してスライド杆体１０を支持するものである。この支持枠２０は、角パイプ材にて構成された支柱２１と横材２２とをジョイント金具３０が連結するように構成している（図３参照）。図示例では、支柱２１に対して２種類の横材２２を組合せた例を示している。
【００２６】
すなわち、支柱２１の上端部に連結する支持用横材２２Ａと、支柱２１の下端部付近に連結する補強用横材２２Ｂである（図１参照）。支持用横材２２Ａは、角度調整板４０を載置して連結ネジ２３で固定すると共に、スライド杆体１０を支持する横材２２である。補強用横材２２Ｂは、支持枠２０全体の強度を高めるもので、筋交５０の代わりになる部材として使用されている。
【００２７】
ジョイント金具３０は、支柱２１と横材２２とを連結する部材で、重合板体３１、支柱連結腕３２、横材連結腕３３にて構成している（図５参照）。重合板体３１は、支柱２１と横材２２とを直交状態で重ねるときに各重合側面の間に重ねる１枚の板状の部材である。支柱連結腕３２は、重合板体３１の支柱２１側に突設された部材で、２枚の板が平行に対峙した状態を成している。そして、支柱２１の左右側面に支柱連結腕３２を嵌合して連結する。横材連結腕３３は、重合板体３１の横材２２側に突設された断面コ字形状を成した部材である。更に、この横材連結腕３３に支持用横材２２Ａや補強用横材２２Ｂからなる横材２２の底面を嵌合状態で固定することで、横材２２を支持するものである。
【００２８】
角度調整板４０は、スライド杆体１０の支持角度を設定する部材であり、支持枠２０とスライド杆体１０との間に介在する（図６参照）。図示の角度調整板４０は六面体のブロック形状を成し、支持枠２０の横材２２の上面とスライド杆体１０の樋部１３の下面との間に設置される。そして、角度調整板４０の上面には、スライド杆体１０の傾斜角度を設定する角度設定面４１が予め形成されている。したがって、太陽電池モジュールＰの設置角度に応じて、角度が異なる角度調整板４０から任意の角度の角度調整板４０を選択使用するものである。
【００２９】
更に、角度調整板４０とスライド杆体１０とを連結する固定ネジ１４を挿通する固定ネジ孔４２が形成されている（図６参照）。また、角度調整板４０と横材２２とを連結する連結ネジ２３を挿通する連結ネジ孔４３も形成されている（図４参照）。この図４に示す如く、角度調整板４０は、横材２２とスライド杆体１０との間に設置するものである。
【００３０】
本考案架台を構築するには、ジョイント金具３０で連結された支持枠２０上に、角度調整板４０を介して複数本のスライド杆体１０を設置するもので、このスライド杆体１０の間に複数の太陽電池モジュールＰを連続的にスライド設置する（図１参照）。この太陽電池モジュールＰは、スライド杆体１０の支持片１２の間に連続的に挿入することができる。したがって、複数の太陽電池モジュールＰを装着する場合、隣接する太陽電池モジュールＰ相互に隙間なく設置することができる（図７参照）。
【００３１】
一方、スライド杆体１０の中央杆材１１を介した両側の太陽電池モジュールＰの設置面積は、中央杆材１１の厚み分のスペースがあれば足りるものである（図４参照）。これらを総合すると、本考案架台の設置面積は、使用する太陽電池モジュールＰの総面積とほぼ同等の設置面積で足りることになる。
【産業上の利用可能性】
【００３２】
本考案は、ビルの屋上や庭等の平坦なスペースに設置する架台として説明しているが、傾斜のあるスペースでも設置可能であり、設置スペースは水平面に限定されるものではない。また、本考案の各構成は図示例に限定されるものではなく、本考案の要旨を変更しない範囲において自由に変更できるものである。
【符号の説明】
【００３３】
Ｐ  太陽電池モジュール
１０  スライド杆体
１１  中央杆材
１２  支持片
１３  樋部
１４  固定ネジ
１５  係止片
２０  支持枠
２１  支柱
２２  横材
２２Ａ  支持用横材
２２Ｂ  補強用横材
２３  連結ネジ
２４  補強体
３０  ジョイント金具
３１  重合板体
３２  支柱連結腕
３３  横材連結腕
４０  角度調整板
４１  角度設定面
４２  固定ネジ孔
４３  連結ネジ孔
５０  筋交
【図１】
0003175075.tif 000003
【図２】
0003175075.tif 000004
【図３】
0003175075.tif 000005
【図４】
0003175075.tif 000006
【図５】
0003175075.tif 000007
【図６】
0003175075.tif 000008
【図７】
0003175075.tif 000009